(57)【要約】【課題】  ２つの画像処理装置を用い、高価な画像処理装置を用いることなく、画像のサイズ変更処理および位置調整処理を効率よく行うことのできる画像表示装置を提供する。【解決手段】  入力画像のサイズ変更処理を行う前段画像処理装置３と、前記前段画像処理装置３から出力される画像情報の位置調整処理を行う後段画像処理装置５とを備え、後段画像処理装置５は、画像の位置調整処理が確定した際に、この位置情報を前段画像処理装置３に出力し、前段画像処理装置３は、後段画像処理装置５で設定された位置情報を反映し、入力画像情報に対して位置調整の設定を行うように構成されている。【選択図】      図１
2011191364.tif 000002
【特許請求の範囲】
【請求項１】
入力画像情報に対して所定の画像処理を施すことによって、画像を表示する画像表示装置であって、
前記入力画像情報が示す入力画像のサイズを所定のサイズに変更する、サイズ変更処理を行う前段画像処理装置と、
前記前段画像処理装置によってサイズ変更された、前記入力画像の表示位置を調整する、位置調整処理を行う後段画像処理装置と、
前記後段画像処理装置により表示位置が調整された、前記入力画像を示す前記入力画像情報に基づいて、照明光を変調する光変調装置と、
前記光変調装置によって変調された変調光を、スクリーン上に画像として投射する投射光学系と、を備え、
前記後段画像処理装置は、前記入力画像の前記位置調整処理が完了した際に、前記入力画像の表示位置を示す位置情報を前記前段画像処理装置に出力し、前記前段画像処理装置は、前記後段画像処理装置で設定された前記位置情報を反映し、前記入力画像情報に対して位置調整を行うように構成されていることを特徴とする画像表示装置。
【請求項２】
前記前段画像処理装置は、さらにオーバースキャン処理を行うように構成され、
前記後段画像処理装置により前記位置調整処理を行う際には、前記前段画像処理装置による前記オーバースキャン処理を一時的に無効とするとともに、前記後段画像処理装置に前記オーバースキャン処理を実行させるように構成されており、
前記後段画像処理装置による前記位置調整処理が完了した際に、前記前段画像処理装置による前記オーバースキャン処理を実行させるとともに、前記後段画像処理装置による前記オーバースキャン処理を無効にするように構成されていることを特徴とする請求項１に記載の画像表示装置。
【請求項３】
前記後段画像処理装置による前記位置調整処理は、画像の水平方向における位置調整を行う処理であることを特徴とする請求項１または請求項２に記載の画像表示装置。
【請求項４】
前記後段画像処理装置は、前記位置情報を前記前段画像処理装置に出力した際に、前記後段画像処理装置における位置情報をリセットするものであることを特徴とする請求項１から請求項３のいずれか一項に記載の画像表示装置。
【請求項５】
入力画像情報に対して所定の画像処理を施すことによって、画像を表示する画像表示装置に供給される画像情報を生成する画像処理方法であって、
前記入力画像情報が示す入力画像のサイズを所定のサイズに変更するサイズ変更処理を行う前段画像処理手段と、
前記前段画像処理手段によってサイズ変更された前記入力画像の表示位置を調整する位置調整処理を行う後段画像処理手段とを備え、
前記後段画像処理手段は、前記入力画像の前記位置調整処理が完了した際に、前記入力画像の表示位置を示す位置情報を出力し、
前記前段画像処理手段は、前記後段画像処理手段が出力した位置情報を反映し、前記入力画像情報に対して位置調整を行う
ことを特徴とする画像処理方法。
【請求項６】
前記前段画像処理手段は、さらにオーバースキャン処理を含み、
前記後段画像処理手段により前記位置調整処理を行う際には、前記前段画像処理手段による前記オーバースキャン処理を一時的に無効とするとともに、前記後段画像処理手段に前記オーバースキャン処理を実行させ、
前記前段画像処理装置による前記位置調整処理が完了した際に、前記前段画像処理手段による前記オーバースキャン処理を実行させるとともに、前記後段画像処理手段による前記オーバースキャン処理を無効にする、
ことを特徴とする請求項５に記載の画像処理方法。
【発明の詳細な説明】
【技術分野】
【０００１】
本発明は画像表示装置および画像処理方法に係り、特に、プロジェクターによって投写される画像の位置調整処理およびサイズ変更処理を効率よく行うことを可能とした画像表示装置および画像処理方法に関するものである。
【背景技術】
【０００２】
一般に、プロジェクターなどの画像表示装置においては、各種サイズで入力される画像情報を所定の大きさにサイズ変更処理する画像処理が行われている。そして、近年、このようなサイズ変更処理を行う場合に、複数の画像処理装置を用いて入力画像の画像処理を行うようにした技術が開示されている。
【０００３】
このような技術としては、例えば、入力画像を固定の解像度のうちの少なくとも水平方向の解像度に等しい解像度を有する固定解像度変換画像に変換して出力する第１の解像度変換部と、第１の解像度変換部から出力された固定解像度変換画像を所望の解像度を有する表示解像度変換画像に変換して出力する第２の解像度変換部とを備えるようにした技術が開示されている（例えば、特許文献１参照）。
【０００４】
また、その他の技術として、あらかじめ設定された出力映像フォーマットに変換するスケーラー部と、映像領域サイズと現在の映像フォーマットとを比較して、映像領域の信号に対して適正サイズとなるように、拡大又は縮小処理を行って、表示装置部に出力するスケーラー部とを備えるように技術が開示されている（例えば、特許文献２参照）。
【先行技術文献】
【特許文献】
【０００５】
【特許文献１】特開２００８−２９８９４８号公報
【特許文献２】特開２００８−０９６８０６号公報
【発明の概要】
【発明が解決しようとする課題】
【０００６】
しかしながら、前記特許文献１および特許文献２に記載の技術においては、いずれの場合も、２つ画像処理装置を用いて画像のサイズ変更処理を行うものであるが、例えば、画像を水平方向または垂直方向に移動させる位置調整処理を行う場合、前段側の画像処理装置で位置調整を行うようにすると、前段側の画像処理装置により、画像のサイズ変更処理および位置調整処理を行うことから負担が大きくなり、処理速度の速い高価な画像処理装置を用いなければならなくなってしまうという問題を有している。また、後段側の画像処理装置で位置調整を行うようにすれば、前段側の画像処理装置の負担を軽減させることができるが、画像の位置調整を行った場合に、本来、必要な画像情報が欠けることになってしまい、適切な位置調整を行うことができなくなってしまうという問題を有している。
【０００７】
本発明は前記した点に鑑みてなされたものであり、２つの画像処理装置を用いて、高価な画像処理装置を用いることなく、画像のサイズ変更処理および位置調整処理を効率よく行うことのできる画像表示装置および画像処理方法を提供することを目的とするものである。
【課題を解決するための手段】
【０００８】
本発明は前記目的を達成するために、本発明に係る画像表示装置は、入力画像情報に対して所定の画像処理を施すことによって、画像を表示する画像表示装置であって、前記入力画像情報が示す入力画像のサイズを所定のサイズに変更する、サイズ変更処理を行う前段画像処理装置と、前記前段画像処理装置によってサイズ変更された前記入力画像の表示位置を調整する位置調整処理を行う後段画像処理装置と、前記後段画像処理装置により表示位置が調整された前記入力画像を示す前記入力画像情報に基づいて、照明光を変調する光変調装置と、前記光変調装置によって変調された変調光を、スクリーン上に画像として投射する投射光学系と、を備え、前記後段画像処理装置は、前記入力画像の前記位置調整処理が完了した際に、前記入力画像の表示位置を示す位置情報を前記前段画像処理装置に出力し、前記前段画像処理装置は、前記後段画像処理装置で設定された前記位置情報を反映し、前記入力画像情報に対して位置調整を行うように構成されていることを特徴とする。
【０００９】
本発明によれば、後段画像処理装置により、入力画像の位置調整処理が完了した際に、入力画像の表示位置を示す位置情報を前段画像処理装置に出力し、前段画像処理装置は、後段画像処理装置で設定された位置情報を反映し、入力画像情報に対して位置調整を行うようにしているので、前段画像処理装置に高価な画像処理装置を用いることなく、画像のサイズ変更処理および位置調整処理を効率よく行うことができる。
【００１０】
前記画像表示装置において、前記前段画像処理装置は、さらにオーバースキャン処理を行うように構成され、前記後段画像処理装置により前記位置調整処理を行う際には、前記前段画像処理装置による前記オーバースキャン処理を一時的に無効とするとともに、前記後段画像処理装置に前記オーバースキャン処理を実行させるように構成されており、前記後段画像処理装置による前記位置調整処理が完了した際に、前記前段画像処理装置による前記オーバースキャン処理を実行させるとともに、前記後段画像処理装置による前記オーバースキャン処理を無効にするように構成されていることを特徴とする。
【００１１】
本発明によれば、前段画像処理装置によりさらにオーバースキャン処理を行い、後段画像処理装置により位置調整処理を行う際には、前段画像処理装置によるオーバースキャン処理を一時的に無効とするとともに、後段画像処理装置にオーバースキャン処理を実行させ、後段画像処理装置による位置調整処理が完了した際に、前段画像処理装置によるオーバースキャン処理を実行させるとともに、後段画像処理装置によるオーバースキャン処理を無効にするようにしているので、前段画像処理装置に高価な画像処理装置を用いることなく、画像のサイズ変更処理およびオーバースキャン処理を効率よく行うことができる。
【００１２】
前記画像表示装置において、前記後段画像処理装置による前記位置調整処理は、画像の水平方向における位置調整を行う処理であることを特徴とする。
【００１３】
本発明によれば、位置調整処理を画像の水平方向における位置調整を行う処理とし、垂直方向における位置調整は、後段画像処理装置で行うことができるので、前段画像処理装置における位置調整の負担を低減させることができる。
【００１４】
前記画像表示装置において、前記後段画像処理装置は、前記位置情報を前記前段画像処理装置に出力した際に、前記後段画像処理装置における位置情報をリセットするものであることを特徴とする。
【００１５】
本発明によれば、後段画像処理装置により、位置調整情報を前段画像処理装置に出力した際に、位置調整情報をリセットするようにしているので、前段画像処理装置により画像処理が行われた画像情報を後段画像処理装置ではそのまま出力させることができる。
【００１６】
本発明に係る画像処理方法は、入力画像情報に対して所定の画像処理を施すことによって、画像を表示する画像表示装置に供給される画像情報を生成する画像処理方法であって、前記入力画像情報が示す入力画像のサイズを所定のサイズに変更するサイズ変更処理を行う前段画像処理手段と、前記前段画像処理手段によってサイズ変更された前記入力画像の表示位置を調整する位置調整処理を行う後段画像処理手段とを備え、前記後段画像処理手段は、前記入力画像の前記位置調整処理が完了した際に、前記入力画像の表示位置を示す位置情報を出力し、前記前段画像処理手段は、前記後段画像処理手段が出力した位置情報を反映し、前記入力画像情報に対して位置調整を行うことを特徴とする。
【００１７】
本発明によれば、後段画像処理手段により、入力画像の位置調整処理が完了した際に、入力画像の表示位置を示す位置情報を出力し、前段画像処理手段により、後段画像処理手段が出力した位置情報を反映し、入力画像情報に対して位置調整を行うようにしているので、前段画像処理手段に高価な画像処理装置を用いることなく、画像のサイズ変更処理および位置調整処理を効率よく行うことができる。
【００１８】
前記画像処理方法において、前記前段画像処理手段は、さらにオーバースキャン処理を含み、前記後段画像処理手段により前記位置調整処理を行う際には、前記前段画像処理手段による前記オーバースキャン処理を一時的に無効とするとともに、前記後段画像処理手段に前記オーバースキャン処理を実行させ、前記前段画像処理装置による前記位置調整処理が完了した際に、前記前段画像処理手段による前記オーバースキャン処理を実行させるとともに、前記後段画像処理手段による前記オーバースキャン処理を無効にすることを特徴とする。
【００１９】
本発明によれば、前段画像処理手段によりさらにオーバースキャン処理を行い、後段画像処理手段により位置調整処理を行う際には、前段画像処理手段によるオーバースキャン処理を一時的に無効とするとともに、後段画像処理手段にオーバースキャン処理を実行させ、後段画像処理手段による位置調整処理が完了した際に、前段画像処理手段によるオーバースキャン処理を実行させるとともに、後段画像処理手段によるオーバースキャン処理を無効にするようにしているので、前段画像処理手段に高価な画像処理装置を用いることなく、画像のサイズ変更処理およびオーバースキャン処理を効率よく行うことができる。
【図面の簡単な説明】
【００２０】
【図１】本発明に係る画像処理装置を適用したプロジェクターの実施形態を示す構成図である。
【図２】本発明に係る画像処理方法による位置調整処理を行う場合の動作を示すフローチャートである。
【図３】本発明の位置調整処理における初期状態を示す説明図である。
【図４】本発明の位置調整処理における前段画像処理装置の位置調整情報を後段画像処理装置に反映した状態を示す説明図である。
【図５】本発明の位置調整処理における位置調整状態を示す説明図である。
【図６】本発明の位置調整処理およびオーバースキャン処理における位置調整後の状態を示す説明図である。
【図７】本発明に係る画像処理方法による位置調整処理とオーバースキャン処理とを行う場合の動作を示すフローチャートである。
【図８】本発明の位置調整処理およびオーバースキャン処理における初期状態を示す説明図である。
【図９】本発明の位置調整処理およびオーバースキャン処理における前段画像処理装置のオーバースキャン処理を無効にして後段画像処理装置でオーバースキャン処理を行う状態を示す説明図である。
【図１０】本発明の位置調整処理およびオーバースキャン処理における位置調整状態を示す説明図である。
【図１１】本発明の位置調整処理およびオーバースキャン処理における位置調整およびオーバースキャン処理後の状態を示す説明図である。
【発明を実施するための形態】
【００２１】
以下、本発明の実施の形態について図面を参照しながら説明する。
【００２２】
図１は、本発明に係る画像表示装置としてのプロジェクターの実施形態を示す概略構成図である。本実施形態においては、プロジェクター１は、画像情報が入力されるレシーバー２を備えており、このレシーバー２は、入力される画像情報の種類を判別するとともに、必要であればアナログ信号で入力された画像情報をデジタル信号の画像情報に変換して前段画像処理装置３に出力するように構成されている。
【００２３】
前段画像処理装置３は、レシーバー２から送られる画像情報を所定の大きさにサイズ変更処理するように構成されている。レシーバー２から送られる画像情報には、例えば、ビデオによる画像情報、ＤＶＤによる画像情報、ブルーレイディスクによる画像情報あるいは、地上波デジタル放送による画像情報など各種の画像情報が存在し、これら各画像情報は、画像情報のサイズが異なっている。そのため、前段画像処理装置３は、これら各種画像情報をプロジェクター１の規格に合うように画像情報のサイズ変更処理を行うものである。また、前段画像処理装置３は、画像情報の外周部分を切り捨てて、例えば、１．０２〜１．１０倍程度の比較的小さい倍率に拡大するオーバースキャン処理も行うように構成されている。
【００２４】
また、前段画像処理装置３には、超解像処理ＩＣ４が接続されており、超解像処理ＩＣ４は、前段画像処理装置３から送られるサイズ変更処理がなされた画像情報の解像感を向上させた画像に変換するように構成されている。
【００２５】
また、超解像処理ＩＣ４には、後段画像処理装置５が接続されており、後段画像処理装置５には、ＣＰＵ６が内蔵されている。ＣＰＵ６は、後段画像処理装置５による画像処理を制御するとともに、レシーバー２、前段画像処理装置３および超解像処理ＩＣ４をそれぞれ制御するように構成されている。また、後段画像処理装置５には、所定のプログラムが記録されたＲＯＭ７、画像処理を行う際に、画像情報を一時的に格納するためのＲＡＭ８および所定の入力操作を行うためのキーボード９が接続されている。
【００２６】
本実施形態においては、前段画像処理装置３は、比較的大きな倍率の画像サイズ変更処理を行う画像処理装置であるが、画像の表示位置を調整するための位置調整の処理に関しては、処理速度に時間がかかるタイプのものを使用している。また、後段画像処理装置５は、位置調整処理を比較的高速に行うことができる画像処理装置を使用している。したがって画像の位置調整をする場合は、後段画像処理装置で位置調整製処理を行ったほうが調整し易い。しかしながら、後段画像処理装置５で位置調整処理を行うと、画像の位置がずれた場合に、本来、必要な画像情報が欠けることになってしまい、適切な位置調整を行うことができなくなってしまう。これは、前段画像処理装置３において、オーバースキャン処理を行っているためであり、位置調整によって前段画像処理装置３によって切り捨てられた外周部分が現れてしまうためである。
【００２７】
そのため、本実施形態においては、後段画像処理装置５で位置調整処理を行った後に、位置情報を前段画像処理装置３に送り、前段画像処理装置３では、この位置情報に基づいて入力される画像情報のうち必要な範囲の画像情報を切り出し、画像情報として超解像処理ＩＣ４に出力するように構成されている。
【００２８】
具体的には、後段画像処理装置５は、画像の位置を水平方向または垂直方向に調整する位置調整処理を行うように構成されており、ＣＰＵ６は、後段画像処理装置５により位置調整処理が完了した場合に、位置情報を前段画像処理装置３に出力するように構成されている。そして、前段画像処理装置３では、ＣＰＵ６から送られる後段画像処理装置５で設定された位置情報を反映し、レシーバー２から入力される画像情報に対して位置調整の設定を行うように構成されている。そして、前段画像処理装置３により、位置調整の設定が完了したら、後段画像処理装置５に設定された位置情報をリセットするように構成されており、これにより、前段画像処理装置３による位置調整の設定を行った画像情報が超解像処理ＩＣ４を介して後段画像処理装置５に出力され、後段画像処理装置５は、その画像情報をそのまま出力するように構成されている。
【００２９】
また、本実施形態において前段画像処理装置３は、前述したように、レシーバー２から送られる画像情報を所定の大きさにサイズ変更処理するとともに、画像情報の外周部分を切り捨てて、例えば、１．０２〜１．１０倍程度の比較的小さい倍率に拡大するオーバースキャン処理を行うように構成されている。これは、前段画像処理装置３と後段画像処理装置５の両方で拡大処理を行うと、画質が劣化してしまうためと、超解像処理ＩＣ４で画像の解像感を向上させた画像信号を、後段画像処理装置５で拡大処理すると、解像感が劣化してしまうためである。したがって、後段画像処理装置５により位置調整を行う場合は、ＣＰＵ６により前段画像処理装置３によるオーバースキャン処理を一時的に無効に設定し、後段画像処理装置５によりオーバースキャン処理を行うように構成されている。そして後段画像処理装置５による位置調整処理が実行され、位置調整処理が完了した場合に、ＣＰＵ６は前段画像処理装置３によるオーバースキャン処理を有効にするとともに、後段画像処理装置５で設定された位置情報を前段画像処理装置に出力するように構成されている。そして、前段画像処理装置３では、レシーバー２から入力される画像情報に対して所定のサイズ変更処理とオーバースキャン処理と位置調整の設定を同時に行うように構成されている。そして、前段画像処理装置３により、オーバースキャン処理と位置調整の設定が完了したら、後段画像処理装置５に設定された位置情報をリセットし、オーバースキャン処理を無効にするように構成されており、これにより、前段画像処理装置３による画像のサイズ変更処理とオーバースキャン処理と位置調整を行った画像情報が超解像処理ＩＣ４を介して後段画像処理装置５に出力され、後段画像処理装置５は、その画像情報をそのまま出力するように構成されている。
【００３０】
なお、後段画像処理装置５で設定されたオーバースキャン情報あるいは位置情報は、ＲＡＭ８に記憶するように構成されている。
【００３１】
また、本実施形態においては、プロジェクター１は、後段画像処理装置５から出力される画像情報に基づいて、例えば透過型の液晶パネル１０に所定の画像を形成させるように駆動するためのパネルドライバ１１を備えており、さらに、プロジェクター１は、液晶パネル１０を照明するための照明装置１２と、液晶パネル１０を透過した透過光をスクリーン１３上に投射する投射光学系１４とを備えている。
【００３２】
液晶パネル１０は、透過型の液晶パネル１０であり、パネルドライバ１１により後段画像処理装置５から出力される画像情報に基づいて駆動されることで、照明装置１２から出射される照明光を変調する光変調器装置として使用されている。また、照明装置１２としては、例えば高圧水銀ランプやメタルハライドランプが用いられる。そして、照明装置１２と投写光学系とが本発明の投写光学系に相当する。
【００３３】
なお、図示は省略しているが、このプロジェクター１は、ＲＧＢの３色分の３枚の液晶パネル１０を有しており、３色分の画像情報を処理する機能を有している。さらに、照明装置１２は、白色光を３色の光に分離する色光分離光学系を有している。また、投写光学系は、３色の画像光を合成してカラー画像を表す画像光を生成する合成光学系を有している。なお、このようなプロジェクター１の光学系の構成については、例えば、本出願人により開示された特願平８−３５２００３号公報に詳述されているので、ここではその説明は省略する。
【００３４】
次に、前述の画像表示装置を用いた本発明に係る画像処理方法について、図２に示すフローチャートおよび図３から図６を参照して説明する。
【００３５】
まず、前回画像を投射した際の位置情報がＲＡＭ８に記録されている状態で、画像の位置調整を行う場合について説明する。
【００３６】
通常の表示状態においては、図３に示すように、レシーバー２から送られる画像情報が前段画像処理装置３に入力されると（ステップＳ１：ＹＥＳ）、前段画像処理装置３は、ＲＡＭ８に記録された位置情報に応じて画像の位置調整の設定を行った状態で（ステップＳ２）、超解像処理ＩＣ４に出力し、この画像情報は、超解像処理ＩＣ４で解像感を向上させて後段画像処理装置５に送られる。次に、キーボード９などの操作によって、表示位置調整機能が実行された場合は、図４に示すように、ＣＰＵ６により、前段画像処理装置３の位置情報をリセットするとともに、後段画像処理装置５に位置情報を反映させる（ステップＳ３）。これにより、前段画像処理装置３による出力画像は、位置調整処理が行われない状態となり、後段画像処理装置５による出力画像は、位置調整処理が行われた状態となる。
【００３７】
そして、図５に示すように、投射画像を見ながら、キーボード９などを操作して位置調整を行う（ステップＳ４）。なお、図５においては、投射画像を元の状態から少し左方向に移動させた状態を示している。位置調整操作が完了し、位置調整を確定させると（ステップＳ５：ＹＥＳ）、図６に示すように、ＣＰＵ６により位置情報を前段画像処理装置３に反映させ、後段画像処理装置５の位置情報をリセットする（ステップＳ６）。これにより、前段画像処理装置３により位置調整が行われた画像が、超解像処理ＩＣ４を介して後段画像処理装置５に送られ（ステップＳ７）、後段画像処理装置５では、その画像をパネルドライバ１１に出力することにより、位置調整が行われた画像がスクリーン１３に投射される（ステップＳ８）。
【００３８】
次に、位置調整処理とオーバースキャン処理とを行う場合について、図７に示すフローチャートおよび図８から図１１を参照して説明する。
【００３９】
通常の表示状態においては、前記処理と同様に、図８に示すように、レシーバー２から送られる画像情報が前段画像処理装置３に入力されると（ステップＳ１０：ＹＥＳ）、前段画像処理装置３により、画像情報をＲＡＭ８の位置情報およびオーバースキャン設定情報に応じて画像の位置調整とオーバースキャン処理を行った状態で（ステップＳ１１）、超解像処理ＩＣ４に出力し、この画像情報は、超解像処理ＩＣ４で解像感を向上させて後段画像処理装置５に送られる。次に、キーボード９などの操作によって、表示位置調整機能が実行された場合は、まず、図９に示すように、ＣＰＵ６により、前段画像処理装置３の位置情報をリセットするとともに、後段画像処理装置５に位置情報を反映させる（ステップＳ１２）。
【００４０】
また、図９に示すように、ＣＰＵ６により前段画像処理装置３によるオーバースキャン処理を一時的に無効に設定し、後段画像処理装置５によるオーバースキャン処理を行う（ステップＳ１３）。そして、図１０に示すように、投射画像を見ながら、キーボード９などを操作して位置調整を行う（ステップＳ１４）。なお、図１０においては、投射画像を元の状態から少し左方向に移動させた状態を示している。位置調整操作が完了し、位置調整を確定させると（ステップＳ１５：ＹＥＳ）、ＣＰＵ６により位置情報を前段画像処理装置３に反映させるとともに、オーバースキャン処理を実行させる（ステップＳ１６）。そして、前段画像処理装置３により、オーバースキャン処理および位置調整処理が完了したら、ＣＰＵ６により、後段画像処理装置５で設定した位置情報およびオーバースキャン設定情報をリセットする（ステップＳ１７）。これにより、図１１に示すように、前段画像処理装置３による画像のサイズ変更処理、オーバースキャン処理および位置調整処理を行った画像情報が超解像処理ＩＣ４を介して後段画像処理装置５に出力され（ステップＳ１８）、後段画像処理装置５は、その画像情報をパネルドライバ１１に出力することにより、位置調整が行われた画像がスクリーン１３に投射される（ステップＳ１９）。
【００４１】
以上述べたように、本実施形態においては、画像の位置調整を行う場合に、後段画像処理装置５で位置調整処理を行い、後段画像処理装置５で設定された位置情報に基づいて、前段画像処理装置３により位置調整を行うようにしているので、前段画像処理装置３に高価な画像処理装置を用いることなく、位置調整処理を効率よく行うことができる。
【００４２】
なお、前記実施形態においては、後段画像処理装置５により水平方向または垂直方向における位置調整処理を行うようにしたが、例えば、後段画像処理装置５により水平方向のみの位置調整処理を行い、この位置情報を前段画像処理装置３に反映させるとともに、垂直方向の位置調整処理は、後段画像処理装置５のみで行うようにしてもよい。この場合には、前段画像処理装置３における位置調整の負担を低減させることが可能となる。
【００４３】
また、前記実施形態においては、透過型の液晶パネル１０を用いたプロジェクター１について説明したが、本発明は、反射型の液晶パネル１０を用いたプロジェクター１にも適用することが可能である。ここで、「透過型」とは、液晶パネル１０が光を透過するタイプであることを意味しており、「反射型」とは、液晶パネル１０が光を反射するタイプであることを意味している。
【００４４】
また、プロジェクター１としては、投射面を観察する方向から画像投射を行う前面投射型のプロジェクター１と、投射面を観察する方向とは反対側から画像投射を行う背面投射型のプロジェクター１とがあるが、図１に示すプロジェクター１の構成は、いずれにも適用可能である。
【００４５】
また、前記実施形態では、白色の照明装置１２からの光を色光分離光学系を用いて各色の光変調を行うものであるが、例えば、照明装置１２として、ＬＥＤを用いるようにしてもよいし、液晶パネル１０に代えて照明装置１２によって照明されるカラーホイールと、マイクロミラーの画素によって構成されカラーホイールの透過光が照射されるデバイス（光変調部）とを組合せたものを用いることによって、カラーの光変調および合成を行うようにしてもよい。
【００４６】
さらに、本発明は上記実施形態に限定されるものではなく、本発明の趣旨に基づいて種々の変形が可能である。
【符号の説明】
【００４７】
１  プロジェクター、２  レシーバー、３  前段画像処理装置、４  超解像処理ＩＣ、５  後段画像処理装置、６  ＣＰＵ、７  ＲＯＭ、８  ＲＡＭ、９  キーボード、１０  液晶パネル、１１  パネルドライバ、１２  照明装置、１３  スクリーン、１４  投射光学系。
【図１】
2011191364.tif 000003
【図２】
2011191364.tif 000004
【図３】
2011191364.tif 000005
【図４】
2011191364.tif 000006
【図５】
2011191364.tif 000007
【図６】
2011191364.tif 000008
【図７】
2011191364.tif 000009
【図８】
2011191364.tif 000010
【図９】
2011191364.tif 000011
【図１０】
2011191364.tif 000012
【図１１】
2011191364.tif 000013